(57)【要約】【課題】植物成長促進剤及びそれを含有する肥料を提供する。【解決手段】本発明の植物成長促進剤は、植物オリーブに由来するキレート形成性成分を含有し、好ましくは、植物オリーブの導管液、又は、オリーブ葉若しくはオリーブ果実からの抽出液を用いて得られたものである。本発明の肥料は、植物成長促進剤を含有し、好ましくは、栄養価の高い成分等を併含する。植物成長促進剤又は肥料を、例えば、水不溶性の鉄成分を多く含むアルカリ土壌に対して用いることにより、キレート形成性成分との鉄錯体を形成させることができるので、鉄錯体を植物の根から吸収させて、その成長を促進させることができる。【選択図】なし【特許請求の範囲】
【請求項１】
植物オリーブに由来するキレート形成性成分を含有することを特徴とする植物成長促進剤。
【請求項２】
上記キレート形成性成分が、上記植物オリーブの導管液、又は、オリーブ葉若しくはオリーブ果実からの抽出液に由来する請求項１に記載の植物成長促進剤。
【請求項３】
請求項１又は２に記載の植物成長促進剤を含有することを特徴とする肥料。
【発明の詳細な説明】
【技術分野】
【０００１】
本発明は、植物の成長を促進させる植物成長促進剤に関する。本発明の植物成長促進剤は、肥料又は土壌改良剤として用いることもできる。
【背景技術】
【０００２】
植物の成長のし易さは、例えば、土壌の構成（ｐＨ、栄養分等）に依存することが知られている。そして、植物の種類に合わせて、各種の肥料等が用いられている。
従来、ムギネ酸類は、六配位で鉄原子と高い結合能力を有することから、ｐＨの高い土壌、即ち、アルカリ性土壌に添加すると、水不溶性の鉄成分（Ｆｅ（ＯＨ）３等）を、特異的に可溶化することが知られている。
ムギネ酸類のうち、デオキシムギネ酸を人工的に合成する方法は、特許文献１に開示されており、この方法による化合物を用いて肥料等とした場合には、非常に高価である。
【先行技術文献】
【特許文献】
【０００３】
【特許文献１】特開２００８−１２０７４１号公報
【発明の概要】
【発明が解決しようとする課題】
【０００４】
本発明の課題は、植物成長の促進に有用な植物成長促進剤及び肥料を提供することである。
【課題を解決するための手段】
【０００５】
本発明者らは、植物オリーブの中に、デオキシムギネ酸、クエン酸等のキレート形成性成分（特に、鉄キレート剤）が含まれ、この成分が、植物成長の促進に有用であることを見出した。
本発明の植物成長促進剤は、植物オリーブに由来するキレート形成性成分を含有することを特徴とする。
また、本発明の肥料は、上記本発明の植物成長促進剤を含有することを特徴とする。
【発明の効果】
【０００６】
本発明の植物成長促進剤又は肥料を、例えば、水不溶性の鉄成分を多く含むアルカリ性土壌に対して用いることにより、キレート形成性成分との鉄錯体を形成させることができるので、鉄錯体又は鉄イオンを植物の根から吸収させて、その成長を促進させることができる。
【図面の簡単な説明】
【０００７】
【図１】［実施例］において得られた植物成長促進剤（Ａ１）、（Ｂ１）、（Ｃ１）、（Ｄ１）、（Ｅ１）及び（Ｆ１）のＬＣ−ＴＯＦ−ＭＳ分析によるクロマトグラムにおけるデオキシムギネ酸のピーク強度を示すグラフである。
【図２】［実施例］において得られた植物成長促進剤（Ａ１）、（Ｂ１）、（Ｃ１）、（Ｄ１）、（Ｅ１）及び（Ｆ１）のＬＣ−ＴＯＦ−ＭＳ分析によるクロマトグラムにおけるニコチアナミンのピーク強度を示すグラフである。
【図３】［実施例］において得られた植物成長促進剤（Ａ１）、（Ｂ１）、（Ｃ１）、（Ｄ１）、（Ｅ１）及び（Ｆ１）のＬＣ−ＴＯＦ−ＭＳ分析によるクロマトグラムにおけるクエン酸のピーク強度を示すグラフである。
【図４】［実施例］において得られた植物成長促進剤（Ａ１）、（Ｂ１）、（Ｃ１）、（Ｄ１）、（Ｅ１）及び（Ｆ１）のＬＣ−ＴＯＦ−ＭＳ分析によるクロマトグラムにおけるリンゴ酸のピーク強度を示すグラフである。
【図５】［実施例］において得られた植物成長促進剤（Ａ１）、（Ｂ１）、（Ｃ１）、（Ｄ１）、（Ｅ１）及び（Ｆ１）のＬＣ−ＴＯＦ−ＭＳ分析によるクロマトグラムにおけるグルタミン酸のピーク強度を示すグラフである。
【図６】［実施例］において得られた植物成長促進剤（Ａ１）、（Ｂ１）、（Ｃ１）、（Ｄ１）、（Ｅ１）及び（Ｆ１）のＬＣ−ＴＯＦ−ＭＳ分析によるクロマトグラムにおける５−スルホサリチル酸のピーク強度を示すグラフである。
【図７】［実施例］において得られた植物成長促進剤（Ａ１）、（Ｂ１）、（Ｃ１）、（Ｄ１）、（Ｅ１）及び（Ｆ１）のＬＣ−ＴＯＦ−ＭＳ分析によるクロマトグラムにおけるフマル酸のピーク強度を示すグラフである。
【発明を実施するための形態】
【０００８】
本発明の植物成長促進剤の性状は、特に限定されず、固体の組成物、及び、液体の組成物、のいずれでもよい。
【０００９】
本発明に係る植物オリーブは、特に限定されず、その品種としては、ミッション（Ｍｉｓｓｏｎ）、マンザニロ（Ｍａｎｚａｎｉｌｌｏ）、ネバディロ・ブランコ（Ｎｅｖａｄｉｌｏ  Ｂｌａｎｃｏ）、オレア・ヨーロッパ（Ｏｌｅａ  Ｅｕｒｏｐａｅａ）、ピクアル（Ｐｉｃｕａｌ）、オヒブランカ（Ｈｏｊｉｂｌａｎｃａ）、アルベキナ（Ａｒｂｅｑｕｉｎａ）、コルニカブラ（Ｃｏｒｎｉｃａｂｒａ）、マンザニリャ（Ｍａｎｚａｎｉｌｌａ）、ゴルダル（Ｇｏｒｄａｌ）、フラントイオ（Ｆｒａｎｔｏｉｏ）、モロイオロ（Ｍｏｒａｉｏｌｏ）、レッチーノ（Ｌｅｃｃｉｎｏ）、コラティーナ（Ｃｏｒａｔｉｎａ）、アスコラーナ・テレナ（Ａｓｃｏｌａｎａ  Ｔｅｒｅｎａ）、オリヴェール（Ｏｌｉｖｉｅｒｅ）、ＦＳ１７（フラントイストック１７）、ルッカ（Ｌｕｃｃａ）等が挙げられる。また、これらの栽培方法は、特に限定されないが、アルカリ性土壌で栽培することが好ましい。
【００１０】
本発明の植物成長促進剤は、好ましくは、植物オリーブの導管液、又は、オリーブ葉若しくはオリーブ果実からの抽出液に由来するキレート形成性成分を含有する組成物であり、キレート形成性の有無を問わず、通常、複数種のカルボン酸を含有する。このカルボン酸としては、リンゴ酸、グルタミン酸、クエン酸、フマル酸、アコニット酸、デオキシムギネ酸、ニコチアナミン、スルホサリチル酸、安息香酸、フシジン酸、ホルムピルビン酸、グラブリン酸、アゼライン酸、セバシン酸、プロスタグランジン、アセトキシトロパン、ポイセニジン等が挙げられ、この中には、キレート形成性成分として、鉄錯体の形成に有用な化合物も含まれる。本発明における特に好ましいキレート形成性成分は、デオキシムギネ酸（下記式参照）、ニコチアナミン、リンゴ酸、グルタミン酸、フマル酸、スルホサリチル酸等である。尚、植物オリーブの全ての品種において、上記例示したカルボン酸の全てが含まれるわけではないので、本発明に係るキレート形成性成分は、複数品種の植物オリーブを用いて得られたキレート形成性成分の混合物であってもよい。
【化１】
2016017000.tif 000002
【００１１】
本発明の植物成長促進剤において、キレート形成性成分の含有割合は、植物成長の促進、植物成長に適した土壌形成等の観点から、植物成長促進剤を構成する固形分（媒体を除く）の全体に対して、好ましくは１〜１００質量％、より好ましくは１０〜１００質量％、更に好ましくは５０〜１００質量％である。
また、本発明の植物成長促進剤は、キレート形成性成分を含むので、水不溶性の鉄成分を多く含むアルカリ性土壌に対して好適なデオキシムギネ酸を含有することができる。デオキシムギネ酸の含有割合は、植物成長促進剤を構成する固形分（媒体を除く）の全体に対して、好ましくは０．０００１〜１００質量％、より好ましくは０．０１〜１００質量％、更に好ましくは１〜１００質量％である。
【００１２】
上記の植物オリーブの導管液、又は、オリーブ葉若しくはオリーブ果実からの抽出液には、ピペリジオン、コルトロン、ステロールグルコシド、オレアミド、還元リボフラビン等が含まれることがあり、これらは、本発明の植物成長促進剤に含有されていてもよい。
【００１３】
上記導管液は、例えば、植物オリーブの幹、枝又は根の断面を露出させるように切って、導管の開口部から滴下させる方法等により回収されたものとすることができる。上記のように、植物オリーブの種類や栽培方法は、特に限定されないが、栽培方法についていえば、鉄成分の含有割合の低い土壌（アルカリ性土壌等）で栽培した植物オリーブから、キレート形成性成分を高い割合で含有する導管液を得ることができる。この場合のアルカリ性土壌のｐＨは、好ましくは１０以下である。また、栽培期間は、通常、発根から３００日以上である。
また、上記抽出液は、オリーブ葉又はオリーブ果実を、そのまま、あるいは、凍結粉砕により得られた粉体等を、水等の抽出用媒体の中で浸漬させた後、この抽出用媒体を除去（濃縮）する等の方法により得られたものとすることができる。
【００１４】
上記のように、本発明の植物成長促進剤は、固体組成物であってよいし、液体組成物であってもよい。後者の場合、媒体は、通常、水であり、その含有割合は、植物成長促進剤の全体に対して、好ましくは０．００１〜１０質量％、より好ましくは０．０１〜１０質量％、更に好ましくは０．１〜１０質量％である。
【００１５】
本発明の植物成長促進剤は、キレート形成性成分のみを含有するものであってよいし、必要に応じて、他の成分が添加されたものであってもよい。
他の成分としては、金属、合金、無機化合物、有機化合物及び高分子のいずれでもよく、配合時の存在状態は、特に限定されず、イオンであってもよい。
【００１６】
本発明の肥料は、上記本発明の植物成長促進剤を含有し、通常、栄養価の高い他の成分を併含する。本発明の肥料の性状は、特に限定されず、固体の組成物、及び、液体の組成物、のいずれでもよい。
他の成分としては、金属、合金、無機化合物、有機化合物及び高分子のいずれでもよく、配合時の存在状態は、特に限定されず、イオンであってもよい。
【実施例】
【００１７】
１．植物成長促進剤の製造
下記の３品種の植物オリーブを、アルカリ性土壌（富山県産の貝化石土壌：ｐＨ９）又は酸性土壌（ｐＨ６）にて栽培した後、枝を切断して、導管液を回収し、この導管液を用いて植物成長促進剤を製造した。
（１）オレア・ヨーロッパ
（２）ミッション
（３）ネバディロ・ブロンコ
【００１８】
製造例１
人工気象器内に、３０００ｇのアルカリ性土壌を入れた５千分の一アールポットを載置し、オレア・ヨーロッパを栽培した。温度条件を、日中（昼間）は３０℃で４時間、夜間は２５℃で１０時間とした。肥料として、チッソ旭社製の「ロングトータル７０」（商品名）の１０ｇを６ヶ月に１回与えた。また、水を、２日に１回、飽和容水量となるように与えた。これを２年から３年継続し、幹から１０ｃｍ以上成長した枝を鋏で剪定し、予め、質量を測定しておいた脱脂綿を底につめた１．５ｍＬ容のエッペンドルフのマイクロチューブを切り口に当てて静置し、導管液を脱脂綿に採取した。導管液の採取中は切り口と導管液に光が当たらないようにアルミホイルでマイクロチューブ全体を被覆した。１６時間の静置後に脱脂綿を取り出し、脱脂綿の質量を測定して、得られた導管液の質量を算出した。尚、導管液は、１本の木から一回に約１〜２ｍｇを採取した。
次いで、１ｍＬの７０％エタノールで脱脂綿を浸して、エタノール・導管液混合溶液として、新しい１．５ｍＬチューブに保管した。全ての導管液を上述のように採取・保管した後、マイクロチューブの蓋を開けて、常温で自然乾燥させ、全てのエタノールを蒸発させて、実質的に導管液である水溶液を得た。これを、植物成長促進剤（Ａ１）とした。
その後、この水溶液を、濃縮して、固体の植物成長促進剤（Ａ２）を得た。
【００１９】
上記植物成長促進剤（Ａ１）を４０μＬ採取し、これに、メタノール６μＬと、超純水７４μＬとを加えた。この希釈液を、孔径０．２μｍのフィルターで濾過し、ＬＣ−ＴＯＦ−ＭＳ分析に供した。
分析装置として、日本ウォーターズ社製の「ＡＱＵＩＴＹ  ＵＰＬＣ」（商品名）、及び、「ＬＣＴ  Ｐｒｅｍｉｅｒ  ＸＥ」（商品名）を用い、リニアグラジエント溶出を行い、ＥＳＩのイオン化モードは、ｐｏｓｉｔｉｖｅ（陽）及びｎｅｇａｔｉｖｅ（陰）の両方とした。尚、分析カラムとして、同社製「ＡＱＵＩＴＹ  ＵＰＬＣ  Ｔ３」（商品名、２．１ｍｍ×５０ｍｍ）を、溶離液として、０．１％蟻酸を含む水−アセトニトリル混合液を、それぞれ、用いた。同一サンプルの測定を、同一条件で２回ずつ行い、平均値を算出した。
【００２０】
ＬＣ−ＴＯＦ−ＭＳ分析により、６０００以上の物質が検出されたが、植物成長促進剤（Ａ１）に含まれる主な物質は、メチル  ２−［（ｔｅｒｔ−ブトキシカルボニル）アミノ］−３−（４−ニトロフェニル）プロパノエート、ピペリジオン、キラ酸、レバミゾール、コルトロン、８−アミノ−７−オキソノナノエート、ステロール  ３−β−Ｄ−グルコシド、リボフラビン還元体、アゼライン酸、リンゴ酸、アセチルトロピン、イタコン酸無水物、１０，１６−ジヒドロキシヘキサデカン酸、Ｎ−アセチル−Ｌ−ロイシン、２，３−ジノール−８−イソプロスタグランジン  Ｆ１アルファ、イソサミジン、タンゲレチン、４−ヒドロキシフェニル酢酸、ネドクロミル、５−スルホサリチル酸、デヒドロアスコルビン酸、Ｄ（＋）−ガラクトース、エレガニン、ゲニポシド、Ｄ−キシロン酸、フシジン酸、１−（３，４−ジメトキシフェニル）エタン−１，２−ジオール、フマル酸、セバシン酸、６−ヒドロキシメラトリン、デオキシムギネ酸、ニコチアナミン、クエン酸、グルタミン酸等である。これらのうち、鉄錯体を形成するカルボン酸であるデオキシムギネ酸、ニコチアナミン、リンゴ酸、クエン酸、グルタミン酸、５−スルホサリチル酸及びフマル酸のピーク強度を、それぞれ、図１〜図７に示した。
【００２１】
製造例２
アルカリ性土壌に代えて、酸性土壌を用いた以外は、製造例１と同様にして、オレア・ヨーロッパを栽培し、その後、水溶液を得た。これを、植物成長促進剤（Ｂ１）とした。そして、この水溶液を、濃縮して、固体の植物成長促進剤（Ｂ２）を得た。
次いで、植物成長促進剤（Ｂ１）のＬＣ−ＴＯＦ−ＭＳ分析を行い、デオキシムギネ酸、ニコチアナミン（非検出）、リンゴ酸、クエン酸、グルタミン酸、スルホサリチル酸及びフマル酸のピーク強度を、それぞれ、図１〜図７に示した。
【００２２】
製造例３
オレア・ヨーロッパに代えて、ミッションを栽培した以外は、製造例１と同様の操作を行い、水溶液を得た。これを、植物成長促進剤（Ｃ１）とした。そして、この水溶液を、濃縮して、固体の植物成長促進剤（Ｃ２）を得た。
次いで、植物成長促進剤（Ｃ１）のＬＣ−ＴＯＦ−ＭＳ分析を行い、デオキシムギネ酸、ニコチアナミン、リンゴ酸、クエン酸、グルタミン酸、スルホサリチル酸及びフマル酸のピーク強度を、それぞれ、図１〜図７に示した。
【００２３】
製造例４
アルカリ性土壌に代えて、酸性土壌を用いた以外は、製造例３と同様にして、ミッションを栽培し、その後、水溶液を得た。これを、植物成長促進剤（Ｄ１）とした。そして、この水溶液を、濃縮して、固体の植物成長促進剤（Ｄ２）を得た。
次いで、植物成長促進剤（Ｄ１）のＬＣ−ＴＯＦ−ＭＳ分析を行い、デオキシムギネ酸、ニコチアナミン（非検出）、リンゴ酸、クエン酸、グルタミン酸、スルホサリチル酸及びフマル酸のピーク強度を、それぞれ、図１〜図７に示した。
【００２４】
製造例５
オレア・ヨーロッパに代えて、ネバディロ・ブロンコを栽培した以外は、製造例１と同様の操作を行い、水溶液を得た。これを、植物成長促進剤（Ｅ１）とした。そして、この水溶液を、濃縮して、固体の植物成長促進剤（Ｅ２）を得た。
次いで、植物成長促進剤（Ｅ１）のＬＣ−ＴＯＦ−ＭＳ分析を行い、デオキシムギネ酸、ニコチアナミン、リンゴ酸、クエン酸、グルタミン酸、スルホサリチル酸及びフマル酸のピーク強度を、それぞれ、図１〜図７に示した。
【００２５】
製造例６
アルカリ性土壌に代えて、酸性土壌を用いた以外は、製造例５と同様にして、ネバディロ・ブロンコを栽培し、その後、水溶液を得た。これを、植物成長促進剤（Ｆ１）とした。そして、この水溶液を、濃縮して、固体の植物成長促進剤（Ｆ２）を得た。
次いで、植物成長促進剤（Ｆ１）のＬＣ−ＴＯＦ−ＭＳ分析を行い、デオキシムギネ酸（非検出）、ニコチアナミン（非検出）、リンゴ酸、クエン酸、グルタミン酸、スルホサリチル酸及びフマル酸のピーク強度を、それぞれ、図１〜図７に示した。
【００２６】
製造例１〜６によれば、植物成長促進剤（Ａ１）、（Ｂ１）、（Ｃ１）、（Ｄ１）、（Ｅ１）及び（Ｆ１）には、キレート形成性成分である、鉄錯体を形成するカルボン酸を含有するので、これらは、植物の栽培に好適であることが明らかである。中でも、植物オリーブを、アルカリ性土壌で栽培して得られた植物成長促進剤（Ａ１）、（Ｃ１）及び（Ｅ１）は、上記キレート形成性成分の濃度が高いので、これらを用いると、土壌の鉄欠乏耐性をより低減することができる。
【産業上の利用可能性】
【００２７】
本発明の植物成長促進剤又は肥料を、例えば、水不溶性の鉄成分を多く含むアルカリ性土壌に対して使用することにより、鉄錯体を形成することができるので、鉄錯体を植物の根から吸収させて、その成長を促進させることができる。
また、本発明の植物成長促進剤には、デオキシムギネ酸、クエン酸等の鉄キレート剤が含まれるので、鉄化合物（鉄イオン）を配合して、鉄錯体を形成させて調製した組成物を、葉面散布剤等として用いることもできる。
【図１】
2016017000.tif 000003
【図２】
2016017000.tif 000004
【図３】
2016017000.tif 000005
【図４】
2016017000.tif 000006
【図５】
2016017000.tif 000007
【図６】
2016017000.tif 000008
【図７】
2016017000.tif 000009